(57)【要約】【課題】小型の電気変換器を筐体に装着するに際し、振動によって、筐体乃至プリント基板が共振することを防止するパッキンやクッションを不要とし、また、プリント基板からの入力信号を受けるための端子固定台をなくし、組立て作業を容易化した電気変換器と、そのホルダを提供する。【解決手段】ゴムなどの防振材で一体成型されたホルダ主体１０に小型の電気変換器主体となるスピーカ本体２の全体を内装保持し、ホルダ主体１０の前面及び後面から放音させ、前記ホルダ主体の所要部位に形成された窓部１４から、端子板６，７を外部に引出し、その先端部をホルダ主体１０の後面上に延出させてスピーカ１とする。【選択図】　　　　図１
2004048223.tif 000002
【特許請求の範囲】
【請求項１】
防振材で一体成型されたホルダに小型の電気変換器主体の全体を内装保持し、ホルダの前面及び後面から放音させ、
前記ホルダの所要部位に形成された窓部から、端子板を外部に引出し、その先端部をホルダの後面上に延出させたこと
を特徴とする小型電気変換器。
【請求項２】
前記小型の電気変換器主体は、
スピーカであること
を特徴とする請求項１に記載の小型電気変換器。
【請求項３】
前記小型の電気変換器主体は、
レシーバであること
を特徴とする請求項１に記載の小型電気変換器。
【請求項４】
前記端子板は、
板バネ又はコイルバネから構成されていること
を特徴とする請求項１に記載の小型電気変換器。
【請求項５】
前記ホルダは、
ゴム、シリコン樹脂、塩化ビニル樹脂など振動を吸収する防振材で形成され、前面の開口部の内側に、軸方向に延出する係止縁が一体的に形成されていることを特徴とする請求項１に記載の小型電気変換器。
【請求項６】
小型の電気変換器の全体を内装保持するためのものであって、
内装せんとする小型の電気変換器主体の外形とほぼ等しい内形を有し、前面部が開口するとともに、その縁部に沿って軸方向に延出する係止縁を有し、所要の部位に放音孔、及び端子板を外部に延出させるための窓部を形成したホルダ主体を、防振材で一体的に成型したこと
を特徴とする小型電気変換器用ホルダ。
【請求項７】
小型の電気変換器主体のフレーム部を抱持する円筒体の、前面の開口部内側に軸方向に延出する係止縁を、後面には、水平な段部を介して磁気回路部を抱持する膨出部を有するホルダ主体を、防振材で一体成型するとともに、
前記段部の一部に、放音孔と端子板を外部に延出させるための窓部を形成したこと
を特徴とする小型電気変換器用ホルダ。
【請求項８】
前記防振材は、
振動を吸収することのできるゴム、シリコン樹脂、塩化ビニル樹脂など軟質の物質であること
を特徴とする請求項６，７に記載の小型電気変換器用。
【発明の詳細な説明】
【０００１】
【発明の属する技術分野】
この発明は、携帯電話機、あるいは携帯型の情報端末（ＰＤＡ）等に使用されるスピーカ乃至レシーバなどの小型の電気変換器と、そのホルダに関するものである。
【０００２】
【従来の技術】
たとえば、携帯電話機におけるスピーカは、図９に示すように、前面に放音孔２０が形成された筐体内２１に、スピーカ２２の前面部、すなわちフレーム部の先端部を、パッキン用クッション２３を介して当接させることによって、スピーカの振動による筐体の共振を防止するとともに、その背面部は制動用クッション２４を介してプリント基板２５に当接させ、このプリント基板２５の共振を防止し、スピーカ２２に端子板を固定するためのバネ端子固定台２６を設け、このバネ端子固定台２６とプリント基板２５の給電部との間にスプリングコイルからなる端子板２７を介在させ、プリント基板２５から端子板２７を通じてスピーカ２２のボイスコイルに入力電力を供給するシステムが採用されている。
【０００３】
しかしながら、このシステムは、スピーカの前面部と筐体との間、およびスピーカの背面部とプリント基板との間に、それぞれクッションを介在させる必要があるが、スピーカ自体がきわめて小型なものであるので、スピーカの組立て作業が煩瑣であるとともに、形状の異なるクッションを別途部品として保管する必要があるなど解決すべき課題があった。
【０００４】
そこで、特開２０００−３３２８７６号公報においては、受話スピーカを収納したホルダを、クッション部材を挟持してシャーシに取付け、パネル内の所定位置に固定する受話スピーカの固定保持構造において、クッション部材とホルダを一体に形成した受話スピーカの固定保持構造が提案されている。
【０００５】
【発明が解決しようとする課題】
前記の受話スピーカの固定保持構造は、ホルダとクッションとを一体に形成すること、すなわち、一端がホルダの任意の部分に結合し、他端がホルダの中心に向かって延在する弾力性を有する架橋部を設け、この架橋部の他端にクッションをホルダの中心部に位置するよう結合させたものであるが、ホルダ自体は、シャーシに固定するための取付け部を必要とし、円筒形のホルダに架橋部を一体的に形成し、かつこの架橋部にクッションがホルダの中心部に位置するよう設ける必要があるなど製造面からは改良すべき課題がある。
【０００６】
この発明はかかる現状に鑑み、小型の電気変換器を筐体に装着するに際し、振動によって、筐体乃至プリント基板が共振することを防止するパッキンやクッションを不要とし、また、プリント基板からの入力信号を受けるための端子固定台をなくし、組立て作業を容易化した電気変換器と、そのホルダを提供せんとするものである。
【０００７】
前記の目的を達成するため、この発明の請求項１に記載の発明は、
防振材で一体成型されたホルダに小型の電気変換器主体の全体を内装保持し、ホルダの前面及び後面から放音させ、
前記ホルダの所要部位に形成された窓部から、端子板を外部に引出し、その先端部をホルダの後面上に延出させたこと
を特徴とする小型電気変換器である。
【０００８】
また、請求項２に記載の発明は、
請求項１に記載の小型電気変換器において、
前記小型の電気変換器主体は、
スピーカであること
を特徴とするものである。
【０００９】
また、請求項３に記載の発明は、
請求項１に記載の小型電気変換器において、
前記小型の電気変換器主体は、
レシーバであること
を特徴とするものである。
【００１０】
また、請求項４に記載の発明は、
請求項１に記載の小型電気変換器において、
前記端子板は、
板バネ又はコイルバネから構成されていること
を特徴とするものである。
【００１１】
また、請求項５に記載の発明は、
請求項１に記載の小型電気変換器において、
前記ホルダは、
ゴム、シリコン樹脂、塩化ビニル樹脂など振動を吸収する防振材で形成され、前面の開口部の内側に、軸方向に延出する係止縁が一体的に形成されていることを特徴とするものである。
【００１２】
さらに、この発明の請求項６に記載の発明は、
小型の電気変換器主体の全体を内装保持するためのものであって、
内装せんとする電気変換器主体の外形とほぼ等しい内形を有し、前面部が開口するとともに、その縁部に沿って軸方向に延出する係止縁を有し、所要の部位に放音孔、及び端子板を外部に延出させるための窓部を形成したホルダ主体を、防振材で一体的に成型したこと
を特徴とする小型電気変換器用ホルダである。
【００１３】
また、請求項７に記載の発明は、
小型の電気変換器主体のフレーム部を抱持する円筒体の、前面の開口部内側に軸方向に延出する係止縁を、後面には、水平な段部を介して磁気回路部を抱持する膨出部を有するホルダ主体を、防振材で一体成型するとともに、
前記段部の一部に、端子板を外部に延出させるための窓部を形成したこと
を特徴とする小型電気変換器用ホルダである。
【００１４】
また、請求項８に記載の発明は、
請求項６，７に記載の小型電気変換器用ホルダにおいて、
前記防振材は、
振動を吸収することのできるゴム、シリコン樹脂、塩化ビニル樹脂など軟質の物質であること
を特徴とするものである。
【００１５】
【発明の実施の形態】
以下、この発明にかかる小型音響変換器と、そのホルダの好ましい実施の形態を添付の図面に基づいて具体的に説明するに、図１は、携帯電話機に使用される小型電気変換器の一例としてのスピーカ本体と、ホルダを示す分解斜視図、図２は、図１に示すホルダにスピーカ本体を組込んだ状態の平面図、図３は図２の断面図、図４は他のスピーカの例を示す平面図、図５は図４の断面図、図６はさらに他のスピーカの例を示す平面図、図７は図６の断面図、図８は図６に示すスピーカの使用状態を示す断面図、図９は従来のスピーカの例を示す断面図である。
【００１６】
この発明の小型電気変換器の一例を示すスピーカ１は、スピーカ本体２とホルダ１０とで構成されるもので、スピーカ本体２は、振動系が保持されているフレーム部３と、磁気回路部４からなるもので、スピーカ本体２の裏面部に形成された端子部５に一対の板バネからなる端子板６，７をそれぞれ斜め上方に向けて突設したものである。
【００１７】
また、ホルダ１０は、特に図３で明らかなように、スピーカ本体２のフレーム部３を抱持する前面が開口した円筒部１１と、この円筒体１１の後面開口部に、水平な段部１２を介して形成された、磁気回路部４を抱持する円筒状の膨出部１３とからなるホルダ主体１０（実質的にホルダと同一であるので、同一符合とする）を、ゴム、シリコン樹脂、塩化ビニル樹脂など振動を吸収することが可能な防振材で一体成型したものであって、前記段部１２には、同心円上に複数の放音孔１５，１５・・・が形成されるとともに、所要の部位には、スピーカ本体２に突設された端子板６，７を、ホルダ主体１０外に引出するための窓部１４が形成されたものである。
【００１８】
したがって、スピーカ１を組立てるには、図１に示すように、ホルダ主体１０の前面の開口部から、裏面に突設された端子板６，７を窓部１４に相対させながら、スピーカ本体２を磁気回路部４側から挿入するもので、ホルダ主体１０内に装着後は、その前面の開口部に軸方向に向けて係止縁１１ａが一体的に形成されているので、ホルダ主体１０に内装したスピーカ本体２は、ホルダ主体１０から離脱するおそれがない。
【００１９】
ホルダ主体１０内へのスピーカ本体２の内装保持によって、スピーカ本体２の端子部５に突設された一対の端子板６，７は、ホルダ主体１０に形成された窓部１４から外部に引出し、その先端部をホルダ主体１０の膨出部１３の裏面上に延出させることによって、この端子板６，７の上部、すなわちホルダ主体１０の背後からプリント基板１６を押圧すると、端子板６，７はいずれも板バネで構成されているので、その先端部がホルダ主体１０の膨出部１３に当接し、固定されるので、従来のように端子固定台を必要とすることがない。
【００２０】
図４乃至図５に示すスピーカ３０は、図１乃至図３に示すスピーカ１とは、基本的な構成が同一であるので、同じ部位は同一符号とするが、端子板３１，３２の形状は、ともにその先端部が中心軸を通る直径上に位置し、平面形状が、一方がＩ字状であるに対し、他方がＬ字状である点が相違している。
【００２１】
図６乃至図７に示すスピーカ４０も、図１乃至図３に示すスピーカ１とは、基本的な構成が同一であるので、同じ部位は同一符号とするが、フレーム主体１０の膨出部１３の中央部に円形の凹部１３ａを形成するとともに、周壁の一部に間隔を存して溝１３ｂ，１３ｂを設け、コイルバネからなる端子板４１，４２の一端部をそれぞれスピーカ本体２の端子部５に固定し、コイル部をそれぞれ凹部１３ａの中心軸を通る直径上に位置するよう配置したものである。
【００２２】
その際、プリント基板１６によってコイル部を押圧したとき、各端子板４１，４２のコイル部が位置ずれしないように、図７に示すように円筒状のガイド１３ｃを設けてもよい。
【００２３】
このスピーカ４０を、携帯電話などの筐体２０内に取付けるには、筐体２１の放音孔２０の内側周縁上に、ホルダ主体１０の開口部の係止縁１１ａ，１１ａを当接固定し、スピーカ本体２の前面部が放音孔２０に位置させ、ホルダ主体１０の膨出部１３の背面からプリント基板１６を押圧しながら当接固定すると、プリント基板１６の給電部（図示せず）から、端子板４１，４２を介してスピーカ本体２のボイスコイルに入力電流が流れるものである。
【００２４】
なお、前記の実施例においては、小型電気変換器としてスピーカを挙げて説明したが、レシーバでも同様である。
【００２５】
【発明の効果】
この発明の小型電気変換器は、小型のスピーカ又はレシーバからなる変換器主体の全部を、防振材で一体成型されたホルダ内に内装保持させたので、変換器主体を筐体に取付けるに際し、パッキン材やクッション材を使用することなく、しかも変換器の振動による共振を確実に防止することができ、組立て作業も容易に行なうことができる。
【００２６】
特に、この発明においては、変換器主体の全部を防振材からなるホルダで覆うとともに、端子板の先端部をホルダの一部から顕出させ、ホルダの裏面部に引出しているので、プリント基板を押圧状態で端子板の先端部に当接させたとき、防振材の反発力によって、端子板をプリント基板とホルダ間に安定して保持することができ、同時に共振も防止することができるものである。
【００２７】
また、この発明の小型電気変換器用ホルダは、防振材で一体成型されたものであって、小型のスピーカ又はレシーバからなる変換器主体の全部を内装保持することができるので、変換器主体の筐体への取付けに際し、変換器主体の前面及び裏面部にクッション材を接着固定する作業を要せず、組み込み工数を大幅に軽減させることができ、部品点数を減らすことができる。
【図面の簡単な説明】
【図１】携帯電話機に使用される小型電気変換器の一例としてのスピーカ主体と、ホルダを示す分解斜視図である。
【図２】図１に示すホルダにスピーカ本体を組込んだ状態の平面図である。
【図３】図２の断面図である。
【図４】他のスピーカの例を示す平面図である。
【図５】図４の断面図である。
【図６】さらに他のスピーカの例を示す平面図である。
【図７】図６の断面図である。
【図８】図６に示すスピーカの使用状態を示す断面図である。
【図９】従来のスピーカの例を示す断面図である。
【符号の説明】
１　　　スピーカ
２　　　スピーカ本体
３　　　フレーム部
４　　　磁気回路部
５　　　端子部
６，７　端子板
１０　　ホルダ（ホルダ主体）
１１ａ　係止縁
１２　　段部
１３　　膨出部
１４　　窓部
１５　　放音孔
【図１】
2004048223.tif 000003
【図２】
2004048223.tif 000004
【図３】
2004048223.tif 000005
【図４】
2004048223.tif 000006
【図５】
2004048223.tif 000007
【図６】
2004048223.tif 000008
【図７】
2004048223.tif 000009
【図８】
2004048223.tif 000010
【図９】
2004048223.tif 000011